(57)【要約】【課題】専用のバックライト装置を必要とすることなく、部費点数を増加させずに透過原稿の読み取りを行うことができるものとする【解決手段】操作面に操作画像を表示して外部から入力操作される液晶タッチパネル１２０及び光源１１０を備えると共に、画像読取装置本体から離脱自在に配置された操作装置１００を備え、操作装置１００は、液晶タッチパネル１２０を動作状態、光源１１０を点灯状態として画像読取装置の操作を行う操作モードと、液晶タッチパネル１２０を非動作状態、光源１１０を点灯状態として略一様に発光させた操作面をコンタクトガラス３５に配置された透過原稿Ｄ上に配置して透過原稿Ｄの透過光作成用の照明とできるバックライトモードと、に切換える制御手段１３０を備える。【選択図】図３
2010206359.tif 000002
【特許請求の範囲】
【請求項１】
コンタクトガラスに配置された反射原稿及び透過原稿からの反射光及び透過光を撮像素子上に結像して原稿画像を読取る画像読取装置において、
操作面に操作画像を表示して外部から入力操作されるタッチパネル手段及び前記タッチパネル手段を裏面から照射する光源を備えると共に、画像読取装置本体から離脱自在に配置された操作装置を備え、
前記操作装置は、
前記タッチパネル手段を動作状態、前記光源を点灯状態として画像読取装置の操作を行う操作モードと、
前記タッチパネル手段を非動作状態、前記光源を点灯状態として略一様に発光させた操作面を前記コンタクトガラスに配置された原稿上に配置して透過原稿の透過光作成用の照明とできるバックライトモードと、
に切換える切換手段を備えることを特徴とする画像読取装置。
【請求項２】
前記操作装置のタッチパネル手段は、前記バックライトモードのとき、操作用の画像を表示することなく前記光源からの光を透過する状態となることを特徴とする請求項１記載の画像読取装置。
【請求項３】
操作装置のうち前記操作面と反対側である背面部に透過原稿読取時に使用する操作ボタンを配置したことを特徴とする請求項１又は２記載の画像読取装置。
【請求項４】
前記操作ボタンは読取開始を指示するスタートボタンを含むことを特徴とする請求項３記載の画像読取装置
【請求項５】
前記操作装置の背面部に透過原稿の読取に関する情報を表示する表示画面を配置したことを特徴とする請求項１乃至４のいずれか記載の画像読取装置。
【請求項６】
前記操作装置がバックライトとして使用されることを検知する検知手段を備え、前記切換手段を切換動作させることを特徴とする請求項１乃至５のいずれか記載の画像読取装置。
【請求項７】
前記検知手段は、前記操作装置の姿勢を検知する姿勢検知手段又は前記操作装置の背面が他のものに接触したことを検出する接触検出手段であることを特徴とする請求項６記載の画像読取装置。
【請求項８】
請求項１乃至７のいずれか記載の画像読取装置を備えることを特徴とする画像形成装置。
【発明の詳細な説明】
【技術分野】
【０００１】
本発明は画像読取装置及び画像形成装置に係り、特にコンタクトガラスに配置された反射原稿及び透過原稿からの反射光及び透過光を撮像素子上に結像して原稿画像を読取る画像読取装置及びこの画像読取装置を備える画像形成装置に関する。
【背景技術】
【０００２】
原稿読取装置で読取る原稿には光を反射するものだけでなく、光を透過するものもある。例えばスライド用ポジフィルム、ネガフィルム、レントゲン写真、ＯＨＰ（オーバーへラドプロジェクタ）シートなどは光を透過する。原稿読取装置においては一般に原稿を光源により照明してその反射光像を読取手段により読取るが、光を透過する原稿を読取る場合には光源からの光が原稿を透過してしまって原稿の反射光像が暗くなり、良質の読取画像品質が得られない。
【０００３】
このため、原稿読取装置において光を透過する原稿を読取る場合には原稿をバックライト装置等の照明装置で照明し、原稿の透過光像を読取手段に読み取らせるようにしている。原稿読取装置でバックライト装置を用いて透過原稿を読取る場合には、スイッチ等を操作して読取手段の動作モードを透過モードに変更し、読取手段内の増幅器のゲインを変更したり白基準読取タイミングの変更や上記光源の消灯等を行ったりする必要がある。このような調整がなされないと、透過原稿の読み取りが正常に行われないこととなる。
【０００４】
特許文献１には、原稿台上の原稿を照明する照明手段、及び上記原稿台上の原稿からの反射光像を読取る読取手段を有する本体と、この本体に装着可能で上記原稿台上の原稿を照明してその透過光像を上記読取手段に読み取らせるバックライト装置と、このバックライト装置が上記本体に装着されたことを検知する検知手段と、この検知手段からの検知信号により上記読取手段の動作モードを原稿の反射光像と透過光像の各読み取りに対応するように変更する制御手段とを備えた原稿読取装置が記載されている。
【発明の概要】
【発明が解決しようとする課題】
【０００５】
しかしながら、上述した画像読取装置にあっては、透過原稿の読み取りを行るようにするためには、画像読取装置には専用のバックライト装置を配置しなければならず、部品点数が増加するという問題がある。
【０００６】
本発明は、専用のバックライト装置を必要とすることなく、部費点数を増加させずに透過原稿の読み取りを行うことができる画像読取装置及び画像形成装置を提供することを目的とする。
【課題を解決するための手段】
【０００７】
請求項１の発明は、コンタクトガラスに配置された反射原稿及び透過原稿からの反射光及び透過光を撮像素子上に結像して原稿画像を読取る画像読取装置において、操作面に操作画像を表示して外部から入力操作されるタッチパネル手段及び前記タッチパネル手段を裏面から照射する光源を備えると共に、画像読取装置本体から離脱自在に配置された操作装置を備え、前記操作装置は、前記タッチパネル手段を動作状態、前記光源を点灯状態として画像読取装置の操作を行う操作モードと、前記タッチパネル手段を非動作状態、前記光源を点灯状態として略一様に発光させた操作面を前記コンタクトガラスに配置された原稿上に配置して透過原稿の透過光作成用の照明とできるバックライトモードと、に切換える切換手段を備えることを特徴とする画像読取装置である。
【０００８】
請求項２の発明は、請求項１記載の画像読取装置において、前記操作装置のタッチパネル手段は、前記バックライトモードのとき、操作用の画像を表示することなく前記光源からの光を透過する状態となることを特徴とする。
【０００９】
請求項３の発明は、請求項２記載の画像読取装置において、操作装置のうち前記操作面と反対側である背面部に透過原稿読取時に使用する操作ボタンを配置したことを特徴とする。
【００１０】
請求項４の発明は、請求項３記載の画像読取装置において、前記操作ボタンは読取開始を指示するスタートボタンを含むことを特徴とする。
【００１１】
請求項５の発明は、請求項２又は３記載画像読取装置において、前記操作装置の背面部に透過原稿の読取に関する情報を表示する表示画面を配置したことを特徴とする。
【００１２】
請求項６の発明は、請求項１乃至５のいずれか記載の画像読取装置において、前記操作装置がバックライトとして使用されることを検知する検知手段を備え、前記切換手段を切換動作させることを特徴とする。
【００１３】
請求項７の発明は、請求項６記載の画像読取装置において、前記検知手段は、前記操作装置の姿勢を検知する姿勢検知手段又は前記操作装置の背面が他のものに接触したことを検出する接触検出手段であることを特徴とする。
【００１４】
請求項８の発明は、請求項１乃至７のいずれか記載の画像読取装置を備えることを特徴とする画像形成装置である。
【発明の効果】
【００１５】
本発明に係る画像読取装置及び画像形成装置によれば、透過原稿を読取る際に専用のバックライト等を使用する必要がなくなるので、簡単な構成で安価な装置で透過原稿の読み取りが可能となる。
【図面の簡単な説明】
【００１６】
【図１】実施例に係る画像形成装置の構成を示す断面図である。
【図２】実施例に係る画像読取装置の構成を示す断面図である。
【図３】実施例に係る画像形成装置の外観を示す斜視図である。
【図４】操作装置の構成を示すブロック図である。
【図５】操作装置に配置されるセンサを説明する図であり、（ａ）は第１の例、（ｂ）は他の例を示す模式図である
【図６】第２及び第３の実施例に係る操作装置を示すものであり、（ａ）は操作面を示す模式図、（ｂ）は第２の実施例に係る操作装置の背面を示す模式図、（ｃ）は第３の実施例に係る操作装置の背面を示す模式図である。
【発明を実施するための形態】
【００１７】
コンタクトガラスに配置された反射原稿及び透過原稿からの反射光及び透過光を撮像素子上に結像して原稿画像を読取る画像読取装置において、操作面に操作画像を表示して外部から入力操作されるタッチパネル手段及び前記タッチパネル手段を裏面から照射する光源を備えると共に、画像読取装置本体から離脱自在に配置された操作装置を備え、前記操作装置は、前記タッチパネル手段を動作状態、前記光源を点灯状態として画像読取装置の操作を行う操作モードと、前記タッチパネル手段を非動作状態、前記光源を点灯状態として略一様に発光させた操作面を前記コンタクトガラスに配置された原稿上に配置して透過原稿の透過光作成用の照明とできるバックライトモードと、に切換えるる切換手段を備える。操作装置のうち前記操作面と反対側である背面部に透過原稿読取時に使用する操作ボタン及び読取に関する情報を表示する表示画面を配置している。
【実施例】
【００１８】
以下に実施例に係る画像読取装置ついて説明する。図１は実施例に係る画像形成装置の構成を示す断面図である。本例では画像形成装置としての複写機１１について説明する。複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３及び記録媒体搬送装置１４を収容する第１の装置本体１５と、原稿画像を読取る画像読取装置１６と、画像読取装置１６を収容する第２の装置本体１７と、原稿を搬送する開閉体として圧板の機能を有する自動原稿搬送装置（以下、単にＡＤＦという）１８とを備えており、ＡＤＦ１８は第２の装置本体１７にヒンジ機構（図示していない）を介して第２の装置本体１７に開閉自在に搭載されている。
【００１９】
ＡＤＦ１８は、原稿束を載置可能な原稿載置台２０と、原稿載置台２０に載置された原稿束の上面に当接して原稿束を送り出す当接位置及び原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読取りが終了した原稿を原稿排紙台２６に排紙する搬送ローラ対２７及び排紙ローラ対２８からなる原稿排紙手段２９とを備えている。
【００２０】
また、排紙ローラ対２８は、駆動ローラ２８ａと、駆動ローラ２８ａに摺接する従動ローラ２８ｂ及び従動ローラ２８ｃとを備えており、排紙ローラ対２８の近傍には切換爪３０が設けられている。
【００２１】
切換爪３０は、第１の切換位置と第２の切換位置との間で移動するようになっており、切換爪３０が第１の切換位置に切換られると、駆動ローラ２８ａ及び従動ローラ２８ｂによって原稿が原稿排紙台２６に排紙されるようになっている。また、切換爪３０が第２の切換位置に切換られると、駆動ローラ２８ａ及び従動ローラ２８ｃによって原稿がスイッチバック通路３１に搬送されるようになっている。
【００２２】
スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００２３】
また、画像読取装置１６は、光学系３４を収容した第２の装置本体１７と、第２の装置本体１７の上部に固定配置されたコンタクトガラス３５及びスリットガラス３６とを備えている。
【００２４】
この画像読取装置１６にあっては、閉じられた原稿や本等からなる原稿をコンタクトガラス３５上に原稿を載置して、その原稿ＤをＡＤＦ１８によって押圧することにより、原稿を読取ることができる。また、ＡＤＦ１８によって自動搬送される原稿はスリットガラス３６の読取位置で読取られるようになっている。
【００２５】
即ち、画像読取装置としての光学系３４は、光源３７と第１ミラー３８とを有する第１走行体３９と、第２ミラー４０及び第３ミラー４１を有する第２走行体４２と、結像レンズ４３と、撮像素子であるＣＣＤイメージセンサ４４とを備えており、第１走行体３９及び第２走行体４２は、図１に示した位置から右方に移動し、このとき、光源３７から出射する光によって原稿を照明し、その反射光を第１ミラー３８、第２ミラー４０及び第３ミラー４１の順に反射した後、結像レンズ４３を通してＣＣＤイメージセンサ４４に入射する。このようにして原稿画像がＣＣＤイメージセンサ４４に結像されることにより、原稿の画像が読取られる。
【００２６】
また、ＡＤＦ１８によって原稿を読取る場合には、図１中、右方に示す位置に第１走行体３９及び第２走行体４２を固定した状態で上述した手順で走行する原稿を読取る。また、画像形成手段１２は、ドラム状の感光体からなる第１像担持体４５Ｙ、第２像担持体４５Ｃ、第３像担持体４５Ｍ及び第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。
【００２７】
また、第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００２８】
また、光書き込みユニット４８からは、上述した原稿の読取り結果に応じた画信号に基づいて光変調されたレーザビームＬが出射されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００２９】
また、一次転写ローラ５０には、転写電圧が印加されることによって、第１像担持体４５Ｙ上に形成されたトナー像が図１中、矢印Ａ方向に回転する中間転写ベルト４６上に一次転写される。
【００３０】
トナー像転写後の第１像担持体４５Ｙ上に付着する転写残トナーは、クリーニング装置５２によって除去される。本実施の形態の複写機１１においては、第１像担持体４５Ｙと、その周囲に配設された帯電ローラ４７と、現像装置４９と、クリーニング装置５２とによって一体的なプロセスカートリッジが構成されている。
【００３１】
また、現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００３２】
一方、クリーニング装置５２は、第１像担持体４５Ｙから除去されたトナーを受け入れるクリーニング容器５５を備えており、クリーニング容器５５内のトナーは、トナー搬送装置によって、図示していない廃トナー容器に搬送される。このように、現像容器５３、トナーボトル５４Ｙ、クリーニング容器５５及び廃トナー容器にはトナーが収容されている。
【００３３】
また、上述した動作と同様にして、第２像担持体４５Ｃ、第３像担持体４５Ｍ及び第４像担持体４５ＢＫ上にシアントナー像、マゼンタトナー像及びブラックトナー像がそれぞれ形成され、これらのトナー像がイエロートナー像の転写された中間転写ベルト４６上に順次重ねて一次転写される。
【００３４】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００３５】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００３６】
また、記録媒体搬送装置１４は中間転写ベルト４６の下方に配置されており、この記録媒体搬送装置１４は、転写紙又は樹脂シート等からなる記録媒体Ｓを収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００３７】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体上にトナー像が形成されるのである。
【００３８】
また、トナー像が形成された記録媒体は定着装置１３を通過し、このとき画像形成手段１２によって形成された記録媒体上のトナー像がその記録媒体に定着される。また、定着装置１３によって画像が定着された記録媒体Ｓは排紙ローラ対６０によって記録媒体排紙台６１上に排紙される。
【００３９】
この記録媒体排紙台６１は、画像形成手段１２を収納する第１の装置本体１５と画像読取装置１６を収納する第２の装置本体１７の間に形成されており、本実施の形態では、排紙ローラ対６０による記録媒体Ｓの排紙方向下流側の第１の装置本体１５及び第２の装置本体１７の間が開放される胴内排紙型の複写機１１となっている。
【００４０】
また、排紙ローラ対６０の上流側には切換レバー６２が設けられており、この切換レバー６２は記録媒体の表面の複写が終了したときに、記録媒体Ｓの裏面に複写を行うときに、反転通路６３側に切換られるようになっている。
【００４１】
即ち、記録媒体Ｓの後端が排紙ローラ対６０に挟持されると、排紙ローラ対６０が逆転駆動するとともに、切換レバー６２が反転通路６３に連通する位置に切換られ、記録媒体Ｓが反転通路６３に向かって搬送される。
【００４２】
この反転通路６３には反転ローラ対６４が設けられており、この反転ローラ対６４によって反転通路６３を搬送される記録媒体は、二次転写ローラ５６側に搬送される。
【００４３】
一方、スリットガラス３６上には反射ガイド板６５が設けられており、この反射ガイド板６５は原稿の読取時の白基準を構成するとともに、光源３７からの光を反射するようになっている。
【００４４】
また、コンタクトガラス３５とスリットガラス３６の間にはガイド部材が設けられており、このガイド部材７１は、スリットガラス３６を通過した原稿を掬い上げて搬送ローラ対２７に向かって案内するようになっている。
【００４５】
本例に係る複写機１１には、操作装置１００（図１には示されていない：図３参照）が配置されている。この操作装置１００は画像読取装置１６を含む複写機１１を操作するものであり、第２の装置本体１７に着脱可能に配置されている。また、操作装置１００は、操作用のタッチパネルを備え、透過原稿を読取る際にバックライトとして使用できるものである。
【００４６】
次に画像読取装置１６について説明する。図２は実施例に係る画像読取装置の構成を示す断面図である。この画像読取装置１６の内部には、上述のように光源３７及び両端支持された第１ミラー３８よりなる第１走行体３９、そして、やはり両端支持された第２ミラー４０、第３ミラー４１よりなる第２走行体４２、及び、原稿Ｄの反射光をＣＣＤ等の撮像素子であるＣＣＤイメージセンサ４４上に結像させる結像レンズ４３が設けられており、ホストコンピュータから送られてくる１ライン毎の画像読取要求の信号に応じて、第１走行体３９及び第２走行体４２はそれぞれ２：１の速度で原稿に沿って移動しながら逐次画像の読取を行うよう構成されている。
【００４７】
ここで、反射原稿を読取るときには、光源３７から照射される光による原稿Ｄの反射光が第１ミラー３８で反射され第２ミラー４０、第３ミラー４１、結像レンズ４３を経てＣＣＤイメージセンサ４４に結像される。一方透過原稿を読取るときには、バックライトとして使用される操作装置１００から照射される光による原稿Ｄの透過光が第１ミラー３８で反射され第２ミラー４０、第３ミラー４１、結像レンズ４３を経てＣＣＤイメージセンサ４４に結像される。
【００４８】
原稿の読み取りに際しては、第１走行体３９が一定の速度で往動するとともに、第２走行体４２が第１走行体３９の１／２の速度で第１走行体３９に追従して往動する。これにより、コンタクトガラス３５上の原稿が光学的に走査される。コンタクトガラス３５上の原稿が光源等により照明されて、その反射光像が第１ミラー３８、第２ミラー４０、第３ミラー４１を介して結像レンズ４３に導かれ、結像レンズ４３によりＣＣＤイメージセンサ４４上に結像される。
【００４９】
このＣＣＤイメージセンサ４４は、結像された原稿Ｄの反射光像を光電変換してアナログ画像信号とし出力するものであり、これにより原稿の読み取りが行われる。また、原稿の反射光、透過光の光量に応じて増幅器のゲインの最適化が行われる。そして、原稿Ｄの読み取り終了後に、第１走行体３９と第２走行体４２はホームポジション位置に復動する。なお、ＣＣＤイメージセンサ４４から出力されたアナログ画像信号は、アナログ／デジタル変換器によりデジタル画像信号に変換され、画像処理回路を搭載した回路基板において、反射光あるいは透過光に応じた各々の画像処理（２値化、多値化、階調処理、変倍処理、編集処理など）が施される。
【００５０】
次に、実施例に係る複写機１１における操作装置１００について説明する。図３は実施例に係る画像形成装置の外観を示す斜視図、図４は操作装置の構成を示すブロック図である。本例において操作装置１００は、図３に示すように、複写機１１の第２の装置本体１７に取り外し可能に取付けられている。透過原稿を読取るときには、操作装置１００を第２の装置本体１７から取り外して反転し、コンタクトガラス３５上の透過原稿上に配置して透過原稿読取用の光源として使用する。操作装置１００は、図示していないケーブルで複写機１１に接続され、操作に関するデータを授受する他、電力が供給される。なお、操作装置１００と複写機１１とは無線でデータの授受を行うものとすることができ、このときには操作装置１００には電力源として複写機１１本体から充電できるバッテリーが配置される。なお、図３では、ＡＤＦ１８は跳ね上げられた状態であり図示を省略している。
【００５１】
操作装置１００は、図４に示すように、冷陰極管あるいはＬＥＤからなる光源１１０と、この光源１１０の表側に配置される公知の液晶タッチパネル１２０と、切換手段である制御手段１３０とを備えて構成される。制御手段１３０は、操作装置１００で複写機１１の操作を行う操作モードと、操作装置１００を反転してコンタクトガラス３５上に配置し透過原稿のバックライトとするバックライトモードに切り換える。即ち、制御手段１３０は、液晶タッチパネル１２０を動作状態として操作用のボタン等を表示し、光源１１０を点灯状態として画像読取装置の操作を行う操作モードと、液晶タッチパネル１２０を非動作状態として前記ボタン等を表示せず、光源１１０を点灯状態として略一様に発光させた操作面をコンタクトガラス３５に配置された透過原稿Ｄ上に配置して透過原稿Ｄの透過光作成用の照明とできるバックライトモードとに切換える。
【００５２】
また、操作装置１００には、操作装置１００がバックライトとして使用されることを検知する検知手段であるセンサ１４０を備える。前記制御手段１３０は、このセンサ１４０からの信号に基づいて光源１１０及び液晶タッチパネル１２０を制御する他、センサ１４０の検知結果は複写機１１に送出され、複写機１１は透過原稿の画像データに対応した画像処理などを実行する。
【００５３】
次に操作装置１００に配置されるセンサについて説明する。図５は操作装置に配置されるセンサを説明する図であり、（ａ）は第１の例、（ｂ）は他の例を示す模式図である。図５（ａ）に示す例は、操作装置１００の内部に操作装置１００の姿勢を検知するセンサ１４０、例えば機械的スイッチを配置している。このセンサ１４０は、上下方向に配置される２枚の電極１４１，１４２の間に重力で移動する接点１４３を配置したものであり、操作装置１００が操作面を上にした状態から操作面を下にした位置に反転されると、接点１４３が電極１４１から離れ、電極１４２に接触することにより操作装置１００の反転を検知する。制御手段１３０は、このセンサ１４０の検知により前記制御手段が液晶タッチパネルのボタン等の表示を停止し無地の状態にする。なお、このセンサとしては電子的なスイッチとすることができる。
【００５４】
図５（ｂ）に示す例ではセンサ１５０は機械的スイッチであり、その接触部１５１が操作装置１００のコンタクトガラス３５が配置される原稿台上に配置されたことを検知する。
【００５５】
なお、操作装置１００が反転され透過原稿の読取が行われると判断されたときには、複写機１１は、読取装置内の増幅器のゲインを変更したり白基準読取タイミングの変更や、通常光源の消灯等を行ったりし、透過原稿読み取り可能な状態となる。
【００５６】
このような操作装置１００で透過原稿Ｄの画像を読取るには、まず操作装置１００を操作して、透過原稿読取の指定、サイズの指定、枚数などを設定する透過原稿の読み取り設定を行う。そして、コンタクトガラス３５上に透過原稿Ｄを配置し、操作装置１００を第２の装置本体１７から取り外して反転し、透過原稿Ｄを覆うように操作装置１００を被せる。操作装置１００のセンサ１４０（１５０）は、操作装置１００が反転されたことを検知し、これを制御手段１３０及び複写機１１に伝送する。制御手段１３０は、センサ１４０からの信号を受け、液晶タッチパネル１２０を動作状態、光源１１０を点灯状態として画像読取装置の操作を行う操作モードから、液晶タッチパネル１２０を非動作状態、前記光源１１０を点灯状態として略一様に発光させた操作面を前記コンタクトガラスに配置された原稿上に配置して透過原稿の透過光作成用の照明とできるバックライトモードに切換える。
【００５７】
また、複写機１１は、センサ１４０からの信号を受け、読取条件等の設定を行い、所定時間経過後画像読取動作を行う。これにより透過原稿の読取が行われる。
【００５８】
なお、この読取においては、操作装置１００はコンタクトガラス３５上で透過原稿Ｄを完全に覆うことが望ましいこのため、透過原稿は操作装置１００の液晶タッチパネル１２０のサイズより小さいことが望ましい。また、操作装置１００はコンタクトガラス３５の読取範囲に正しい姿勢で配置されることが望ましい。このため、コンタクトガラス３５が配置される原稿読取部上に操作装置１００の設置設定用の案内突起等を設けることができる。
【００５９】
次に、第２及び第３の実施例に係る操作装置について説明する。図６は第２及び第３の実施例に係る操作装置を示すものであり、（ａ）は操作面を示す模式図、（ｂ）は第２の実施例に係る操作装置の背面を示す模式図、（ｃ）は第３の実施例に係る操作装置の背面を示す模式図である。
【００６０】
第２の実施例に係る操作装置２００は、図６(ａ)に示すように、操作面には液晶タッチパネル１２０が配置されている他、裏面には、操作ボタン１７０としてスタートボタン１７１及びストップボタン１７２が配置されている。操作装置２００における操作ボタン１７０の接続状態を図４中に破線で示した。本例によれば、操作装置１００を反転して原稿台上にセットした状態で、操作ボタン１７０の操作により、読み取り開始及び停止を指示することができ、操作性を向上させることができる。なお、この操作ボタン１７０は、図３中に破線で示したように制御手段１３０に接続されており、過原稿読み取りと判断されたとき使用可能となるものとし、誤操作を防止する。
【００６１】
第３の実施例に係る操作装置３００は、図６（ｃ）に示すように、操作装置３００の背面に前記操作ボタン１７０に加えて液晶表示部１８０を配置したものである。操作装置３００における操作ボタン１７０及び液晶表示部１８０の接続状態を図４中に破線で示した。操作装置３００をバックライトとして使用する際、原稿の読取り条件やコピー枚数等の設定は操作装置３００を反転する前であって複写機１１に取付けられた状態で入力する。本例によれば、操作装置３００をバックライトと使用すべく反転し、コンタクトガラス３５上に配置した状態で読取り前に設定情報が容易に確認できる。
【００６２】
以上説明したように、本発明によれば、透過原稿を読取る際に専用のバックライト等を使用する必要がなくなるので、簡単な構成で安価に透過原稿読み取りが可能となる。
【００６３】
また、本発明によれば、操作装置を反転してバックライトとして使用する状態としても、裏面に配置されたスイッチで原稿読取り開始停止ができる。
【００６４】
また、操作装置を反転すると、検知手段で操作装置が透過原稿読取り状態であるということを検出するので、この検出状態を操作装置や画像形成装置に伝えることにより、透過原稿読み取りのため設定を操作装置や画像形成装置に行わせることができ、容易な操作で透過原稿を読取ることができる。
【００６５】
また、操作装置を反転しても、設定された透過原稿の読み取り設定を確認することができ、機械設定でのミス、読み取りミスを防止することができる。
【符号の説明】
【００６６】
１１  複写機
１２  画像形成手段
１３  定着装置
１４  記録媒体搬送装置
１５  第１の装置本体
１６  画像読取装置
１７  第２の装置本体
１８  自動原稿搬送装置（ＡＤＦ）
１９  ヒンジ機構
２０  原稿載置台
２１  ピックアップローラ
２２  給紙ベルト
２３  リバースローラ
２４  搬送ローラ対
２５  原稿搬送手段
２６  原稿排紙台
２７  搬送ローラ対
２８  排紙ローラ対
２８ａ  駆動ローラ
２８ｂ  従動ローラ
２８ｃ  従動ローラ
２９  原稿排紙手段
３０  切換爪
３１  スイッチバック通路
３２  スイッチバックローラ対
３４  光学系
３５  コンタクトガラス
３６  スリットガラス
３７  光源
３８  第１ミラー
３９  第１走行体
４０  第２ミラー
４１  第３ミラー
４２  第２走行体
４３  結像レンズ
４４  ＣＣＤイメージセンサ
４５Ｙ〜４５ＢＫ  第１〜第４像担持体
４６  中間転写ベルト
４７  帯電ローラ
４８  ユニット
４９  現像装置
５０  一次転写ローラ
５２  クリーニング装置
５３  現像容器
５４Ｃ、５４Ｍ、５４ＢＫ  トナーボトル
５４Ｙ  トナーボトル
５５  クリーニング容器
５６  二次転写ローラ
５７  給紙カセット
５８  給紙ローラ
５９  レジストローラ対
６０  排紙ローラ対
６１  記録媒体排紙台
６２  切換レバー
６３  反転通路
６４  反転ローラ対
６５  反射ガイド板
７１  ガイド部材
１００  操作装置
１１０  光源
１２０  液晶タッチパネル
１３０  制御手段
１４０  センサ
１４１，１４２  電極
１４３  接点
１５０  センサ
１５１  接触部
１７０  操作ボタン
１７１  スタートボタン
１７２  ストップボタン
１８０  液晶表示部
２００  操作装置
３００  操作装置
【先行技術文献】
【特許文献】
【００６７】
【特許文献１】特開平1−１９８８６４号公報
【図１】
2010206359.tif 000003
【図２】
2010206359.tif 000004
【図３】
2010206359.tif 000005
【図４】
2010206359.tif 000006
【図５】
2010206359.tif 000007
【図６】
2010206359.tif 000008